(57)【特許請求の範囲】
【請求項１】
内部を空洞とし、弦の振動を共鳴させて拡大放射する胴と、該胴に接続された、棹及び該棹の表面に接合されたフレットを有するフィンガーボードとからなるネック部と、該ネック部の先端に設けられた、糸巻きを備えたヘッド部とからなり、前記胴は、平面形状が達磨形の表板と裏板及びこれらの間の側板とからなると共に、該表板にサウンドホール及びサドルを有するブリッジを設けてなり、前記糸巻きとブリッジとの間に高音から低音までの複数の弦を張設してなるアコースティックギターにおいて、前記表板に設けた前記ブリッジを、高音弦用ブリッジと低音弦用ブリッジとに分割し、該低音弦用ブリッジは表板に固定する一方、該高音弦用ブリッジは、表板に設けた該高音弦用ブリッジが接しない程度の該高音弦用ブリッジより僅かに大とした穴内に、その上端を前記低音弦用ブリッジと揃えて配置し、下端を、表板の裏側に僅かな間隔を存して架設し、表板と略同形同大で、厚味が表板より少なく、中央が表板に近くなるように彎曲し、さらに表板のサウンドホールに対応する位置にサウンドホールを設けると共に、左右の適宜の部位に該サウンドホールよりも小さい穴を設けた振動板に固定してなることを特徴とするアコースティックギター。
【発明の詳細な説明】
【技術分野】
【０００１】  本発明はアコースティックギターに関し、更に詳細には高音用の弦（高音弦）のもつ特有の音質、音色と低音用の弦（低音弦）のもつ特有の音質、音色とを共に最大限に活かすことができると共に、音量も増大させることができるようになしたアコースティックギターに係わる。
【背景技術】
【０００２】  アコースティックギターは、内部を空洞とし、弦の振動を共鳴させて拡大放射する胴と、該胴に接続された、棹及び該棹の表面に接合されたフレットを有するフィンガーボードとからなるネック部と、該ネック部の先端に設けられた、糸巻きを備えたヘッド部とからなり、前記胴は、平面形状が達磨形の表板と裏板及びこれらの間の側板とからなると共に、該表板にサウンドホール及びサドルを有するブリッジを設けてなり、前記糸巻きとブリッジとの間に高音から低音までの複数の弦（一般的には６本の弦）を張設してなるものである。【０００３】  そして、用いられる弦は、一般的に高音用の弦から低音用の弦にかけて、高音用の弦の第１弦が一番細く、次第に直径が太くなっている。また、クラシックギターでは高音側の第１弦から第３弦にナイロン弦と呼ばれる柔らかい弦を用い、低音側の第４弦から第６弦に細いナイロンの束を芯に金属を巻き付けた弦を用いている。尚、フォークギターにおいては弦として金属弦を用いている。【０００４】  そしてまた、弦には夫々固有の振動数があり、大略第１弦（Ｅ）は３２９．６Ｈｚ、第２弦（Ｂ）は２４６．９Ｈｚ、第３弦（Ｇ）は１９６．０Ｈｚ、第４弦（Ｄ）は１４６．８Ｈｚ、第５弦（Ａ）は１１０．０Ｈｚ、第６弦（Ｅ）は８２．４Ｈｚであるとされている。【０００５】  また、弦の振動はブリッジを介して表板に伝わり、該表板で音波に変換されて音として聴こえることになるものである。したがって、弦の振動を音波として変換する表板は、本来は各弦の固有の振動数に適合した振動となる厚味でなければならない。また、弦の振動数に対して表板の厚味があり過ぎると、或いはまた逆に少な過ぎると、表板の振動が不足して、或いは過大になり過ぎて充分な音質と音量が得られないということも知られている。【０００６】  即ち、上記の如く、最も高音の第１弦から最も低音の第６弦までは固有の振動数が異なるから、理想的には表板の厚味は夫々の弦に合わせた厚味とすることが望ましい。そしてそれにおいてこそ各弦の特有の音質、音色が得られるものである。【０００７】  然るに、従来のアコースティックギター、とりわけクラッシクギターにおいては、その表板の厚味は、複数の弦を張設するだけの強度等を考慮して一般的に約４ｍｍ程度としている。そして、全体的に同一の厚味であるから、高音用の第１弦から低音用の第６弦までが同一の厚味の表板で振動することになる。【０００８】  そして、従来の表板の厚味では、低音用の弦の振動数には対応することができるものの、高音用の弦の振動数に対しては厚味があり過ぎることになる。したがって、高音用の弦のもつ特有の音質、音色が減殺されてしまうことになり、また同時に充分な音量も得られないものである。
【発明の概要】
【発明が解決しようとする課題】
【０００９】  本発明は上記の点に鑑みなされたものであって、高音用の弦と低音用の弦とを厚味の異なる振動板によって夫々振動させるようになし、もって高音用の弦のもつ特有の音質、音色と低音用の弦のもつ特有の音質、音色とを共に最大限に活かすことができると共に、音量も増大させることができるようになしたアコースティックギターを提供しようとするものである。
【課題を解決するための手段】
【００１０】  而して、本発明の要旨とするところは、内部を空洞とし、弦の振動を共鳴させて拡大放射する胴と、該胴に接続された、棹及び該棹の表面に接合されたフレットを有するフィンガーボードとからなるネック部と、該ネック部の先端に設けられた、糸巻きを備えたヘッド部とからなり、前記胴は、平面形状が達磨形の表板と裏板及びこれらの間の側板とからなると共に、該表板にサウンドホール及びサドルを有するブリッジを設けてなり、前記糸巻きとブリッジとの間に高音から低音までの複数の弦を張設してなるアコースティックギターにおいて、前記表板に設けた前記ブリッジを、高音弦用ブリッジと低音弦用ブリッジとに分割し、該低音弦用ブリッジは表板に固定する一方、該高音弦用ブリッジは、表板に設けた該高音弦用ブリッジが接しない程度の該高音弦用ブリッジより僅かに大とした穴内に、その上端を前記低音弦用ブリッジと揃えて配置し、下端を、表板の裏側に僅かな間隔を存して架設し、表板と略同形同大で、厚味が表板より少なく、中央が表板に近くなるように彎曲し、さらに表板のサウンドホールに対応する位置にサウンドホールを設けると共に、左右の適宜の部位に該サウンドホールよりも小さい穴を設けた振動板に固定してなることを特徴とするアコースティックギターにある。
【発明の効果】
【００１１】  本発明は上記の如き構成であり、高音用の弦と低音用の弦とを厚味の異なる振動板（該振動板の一方は表板）によって夫々振動させるようになしたものである。もって高音用の弦のもつ特有の音質、音色と低音用の弦のもつ特有の音質、音色とを共に最大限に活かすことができると共に、音量も増大させることができるものである。
【図面の簡単な説明】
【００１２】
【図１】本発明の実施形態に係るアコースティックギターの平面図である。
【図２】図１中Ｉ−Ｉ線拡大断面図である。
【図３】図１中Ａ部分の拡大図である。
【図４】図３中ＩＩ−ＩＩ線拡大図である。
【図５】振動板の平面図である。
【発明を実施するための形態】
【００１３】    以下、本発明を実施するための形態について、図面を参照して説明する。
【００１４】  図中、１はアコースティックギターである。また、該アコースティックギター１は、内部を空洞とし、弦の振動を共鳴させて拡大放射する胴２と、該胴２に接続された、棹３及び該棹３の表面に接合されたフレット４を有するフィンガーボード５とからなるネック部６と、該ネック部６の先端に設けられた、糸巻き７を備えたヘッド部８とからなり、前記胴２は、平面形状が達磨形の表板９と裏板１０及びこれらの間の側板１１とからなると共に、該表板９にサウンドホール１２及びサドル１３を有するブリッジ１４を設けてなり、前記糸巻き７とブリッジ１４との間に高音から低音までの複数の弦１５−１〜１５−６を張設してなるものである。以上の構成は、従来のアコースティックギターと同様である。
【００１５】  而して、本発明において特徴とするところは、前記表板９に設けた前記ブリッジ１４を、高音弦用ブリッジ１４−１と低音弦用ブリッジ１４−２とに分割し、該低音弦用ブリッジ１４−２は表板９に固定する一方、該高音弦用ブリッジ１４−１は、表板９に設けた該高音弦用ブリッジ１４−１が接しない程度の該高音弦用ブリッジ１４−１より僅かに大とした穴１６内に、その上端を前記低音弦用ブリッジ１４−２と揃えて配置し、下端を、表板９の裏側に僅かな間隔を存して架設し、表板９と略同形同大で、厚味が表板９より少なく、中央が表板９に近くなるように彎曲し、さらに表板９のサウンドホール１２に対応する位置にサウンドホール１７を設けると共に、左右の適宜の部位に該サウンドホール１７よりも小さい、低音弦の振動音を通り抜けさせるための穴１８を設けた振動板１９に固定してなることにある。尚、２０、２０は前記振動板１９の支持部である。
【００１６】  また、前記振動板１９の厚味は、例えば、表板９の厚味が４ｍｍの場合には２．５〜３．０ｍｍとする等、弦の太さや振動板の材質等を勘案して適宜に決定するものである。また、該振動板１９の中央と表板９との間隔は、１〜５ｃｍの範囲で適宜に決定するものである。また、本実施形態では、高音弦用ブリッジ１４−１と低音弦用ブリッジ１４−２に夫々弦を３本宛、即ち高音弦用ブリッジ１４−１に高音用の弦１５−１、１５−２、１５−３を、また低音弦用ブリッジ１４−２に低音用の弦１５−４、１５−５、１５−６を夫々止めるようにしているが、必ずしもこのようにする必要はなく、例えば、高音弦用ブリッジ１４−１に高音用の第１弦１５−１のみ、或いは第１弦１５−１と第２弦１５−２を止めるように構成してもよい。また、図示はしないが、弦が１２本のアコースティックギターの場合には、高音用の弦と低音用の弦を夫々６本宛止めるようにしてもよい。
【００１７】  上記実施形態によれば、高音用の弦１５−１、１５−２、１５−３と低音用の弦１５−４、１５−５、１５−６とを厚味の異なる振動板（高音用の弦１５−１、１５−２、１５−３は振動板１９、低音用の弦１５−４、１５−５、１５−６は表板９）によって夫々振動させるようになしたものであるから、高音用の弦のもつ特有の音質、音色と低音用の弦のもつ特有の音質、音色とを共に最大限に活かすことができると共に、音量も増大させることができるものである。
【符号の説明】
【００１８】１  アコースティックギター
２  胴
６  ネック部
８  ヘッド部
９  表板
１２  サウンドホール
１４  ブリッジ
１４−１  高音弦用ブリッジ
１４−２  低音弦用ブリッジ
１５−１、１５−２、１５−３  高音用の弦
１５−４、１５−５、１５−６  低音用の弦
１６  穴
１７  サウンドホール
１８  小さい穴
１９  振動板
【要約】      （修正有）【課題】高音弦および低音弦のもつ特有の音質、音色とを最大限に活かすと共に、音量も増大できるアコースティックギターを提供する。【解決手段】表板９に設けたブリッジ１４を、高音弦用ブリッジ１４−１と低音弦用ブリッジ１４−２とに分割する。低音弦用ブリッジ１４−２は表板９に固定する。一方、高音弦用ブリッジ１４−１は、表板９に設けた該高音弦用ブリッジ１４−１が接しない程度の該高音弦用ブリッジ１４−１より僅かに大とした穴１６内に、その上端を低音弦用ブリッジ１４−２と揃えて配置する。下端を、表板９の裏側に僅かな間隔を存して架設し、表板９と略同形同大で、厚味が表板９より少なく、中央が表板９に近くなるように彎曲し、さらに表板９のサウンドホール１２に対応する位置にサウンドホールを設けると共に、左右の適宜の部位に該サウンドホールよりも小さい、低音弦の振動音を通り抜けさせるための穴を設けた振動板に固定する。【選択図】図１【図１】
0005582431.tif 000002
【図２】
0005582431.tif 000003
【図３】
0005582431.tif 000004
【図４】
0005582431.tif 000005
【図５】
0005582431.tif 000006